(57)【特許請求の範囲】
【請求項１】
充放電可能な電池と、
前記電池の充電量を示す充電量情報を表示可能な表示部と、
少なくとも前記表示部における前記充電量情報の表示を制御する表示制御部と、
前記電池の充電量を検出する充電量検出部と、
前記電池の劣化度合いを検出可能に構成され、少なくとも前記電池が所定劣化度合いとなったか否かを判定可能な劣化検出部と、
を備え、
前記表示制御部は、
前記劣化検出部により前記電池の前記所定劣化度合いが検出されていない場合は、前記充電量検出部によって検出される前記電池の充電量を示す内容で前記充電量情報を表示するように前記表示部を制御し、
前記劣化検出部により前記電池の前記所定劣化度合いが検出された場合は、少なくとも前記充電量検出部によって検出される前記電池の充電量が所定条件のときに、前記充電量検出部によって検出される前記電池の充電量よりも低い充電量を示す内容で前記充電量情報を表示するように前記表示部を制御し、
前記劣化検出部は、前記電池の劣化度合いとして少なくとも前記電池の膨らみ状態を検出する膨らみ状態検出部を有し、
前記膨らみ状態検出部は、
前記電池の所定の外壁面側に向けて光を照射する照射部と、
前記電池の前記外壁面側からの光を受光する受光部と、
前記受光部による光の受光結果に基づいて前記電池の劣化度合いを判定する判定部と、
を有することを特徴とする携帯端末。
【請求項２】
前記表示制御部は、
予め複数の充電量レベルが定められると共に、各充電量レベルに対応するレベル別充電量情報が定められており、
前記劣化検出部により前記電池の前記所定劣化度合いが検出されていない場合、複数の前記充電量レベルのうちの前記充電量検出部によって検出される前記電池の充電量の属するレベルに対応する前記レベル別充電量情報を表示するように前記表示部の表示を制御し、
前記劣化検出部により前記電池の前記所定劣化度合いが検出された場合、複数の前記充電量レベルのうちの前記充電量検出部によって検出される前記電池の充電量の属するレベルよりも低いレベルに対応する前記レベル別充電量情報を表示するように前記表示部の表示を制御することを特徴とする請求項１に記載の携帯端末。
【請求項３】
前記表示制御部は、
前記劣化検出部により前記電池の前記所定劣化度合いが検出されていない場合において、前記充電量検出部によって検出される前記電池の充電量が所定の満充電状態の場合には、前記充電量情報として所定の満充電情報を表示するように前記表示部を制御し、
前記劣化検出部により前記電池の前記所定劣化度合いが検出された場合において、前記充電量検出部によって検出される前記電池の充電量が前記満充電状態の場合には、前記満充電状態よりも低い充電状態を示す所定の低レベル情報を表示するように前記表示部を制御することを特徴とする請求項１又は請求項２に記載の携帯端末。
【請求項４】
前記表示制御部は、前記劣化検出部により前記電池の前記所定劣化度合いが検出された場合において、前記充電量検出部によって検出される前記電池の充電量が前記満充電状態の場合には、前記充電量情報として前記満充電情報を表示せずに前記満充電状態よりも低い充電状態を示す所定の低レベル情報を表示するように前記表示部を制御することを特徴とする請求項３に記載の携帯端末。
【請求項５】
前記劣化検出部は、前記電池の前記所定劣化度合いとして複数段階の劣化レベルが定められ、前記電池がいずれの段階の劣化レベルに属するかを判定可能とされており、
前記表示制御部は、
予め複数の充電量レベルが定められると共に、各充電量レベルに対応するレベル別充電量情報が定められており、
前記劣化検出部により前記電池の前記所定劣化度合いが検出されていない場合において、前記充電量検出部によって検出される前記電池の充電量が前記満充電状態の場合には、複数の前記レベル別充電量のうち、前記満充電情報に対応する前記レベル別充電量情報を表示するように前記表示部を制御し、
前記劣化検出部により前記電池の前記所定劣化度合いが検出された場合において、前記充電量検出部によって検出される前記電池の充電量が前記満充電状態の場合には、前記劣化検出部によって検出された前記劣化レベルに対応する前記レベル別充電量情報を前記低レベル情報として表示するように前記表示部を制御することを特徴とする請求項３又は請求項４に記載の携帯端末。
【請求項６】
前記劣化検出部は、前記電池の前記所定劣化度合いとして所定の劣化顕著状態を検出可能とされており、
前記表示制御部は、
前記劣化検出部により前記電池の前記所定劣化度合いが検出されていない場合において、前記充電量検出部によって検出される前記電池の充電量が所定の充電不足状態の場合に、前記充電量情報として所定の充電不足報知情報を表示するように前記表示部を制御し、
前記劣化検出部により前記電池の前記劣化顕著状態が検出された場合において、前記充電量検出部によって検出される前記電池の充電量が前記満充電状態の場合、前記充電量情報として前記満充電情報を表示せずに前記充電不足報知情報を表示するように前記表示部を制御することを特徴とする請求項３から請求項５のいずれか一項に記載の携帯端末。
【請求項７】
前記劣化検出部は、前記電池の劣化度合いとして少なくとも前記電池の総使用時間又は総使用回数のいずれかを検出することを特徴とする請求項１から請求項６のいずれか一項に記載の携帯端末。
【請求項８】
前記照射部は、当該照射部からの光が、少なくとも前記電池の前記外壁面の外側において当該外壁面に沿った方向に通るように配置されていることを特徴とする請求項１から請求項７のいずれか一項に記載の携帯端末。
【請求項９】
前記電池の前記外壁面には、所定構造の反射部材が配置され、
前記反射部材の少なくとも一部には、前記電池の外面部における当該反射部材に隣接する周囲領域よりも反射率が高い高反射率領域が設けられていることを特徴とする請求項１から請求項８のいずれか一項に記載の携帯端末。
【発明の詳細な説明】
【技術分野】
【０００１】
本発明は、電池を備えた携帯端末に関するものである。
【背景技術】
【０００２】
電池によって駆動する携帯端末では、電池の劣化状態をユーザに知らしめる技術が様々に提案されている。例えば、特許文献１の技術では、複数の電池を備えた構成を前提とし、各々の電池の劣化又は故障を、隣接する電池同士の電池温度変化率に基づいて判断している。
【先行技術文献】
【特許文献】
【０００３】
【特許文献１】特開２００１−３１３０８７号公報
【発明の概要】
【発明が解決しようとする課題】
【０００４】
ところで、充放電可能な電池を備えた携帯端末に関連する既存技術では、電池の劣化状態や電池寿命を把握しようとする思想は存在するが、状況に応じてユーザに電池交換を強く促そうとする思想は存在しなかった。このため、ユーザが、電池の劣化状態をある程度把握したまま使用し続けることが多く、その結果、ユーザの利便性を低下させる事態が発生しやすかった。
【０００５】
例えば、電池がある程度劣化した状態となったとき、単にその旨をユーザに報知するだけでは、緊急性や重要性をユーザが直感的に把握し難いため、ユーザは、速やかに電池を交換せずに使用を継続してしまうが多い。この場合、電池が完全に使用できなくなるまで使用し続けてしまうことも多く、予期せぬタイミングで電池が急に使用不可能になったり、それ以外の電池の不具合（電池の膨張など）を招いたりする虞があった。
【０００６】
本発明は、上述した課題を解決するためになされたものであり、電池が劣化した場合にユーザに電池交換をより強く促すことが可能な構成を提供することを目的とする。
【課題を解決するための手段】
【０００７】
本発明の携帯端末は、
充放電可能な電池と、
前記電池の充電量を示す充電量情報を表示可能な表示部と、
少なくとも前記表示部における前記充電量情報の表示を制御する表示制御部と、
前記電池の充電量を検出する充電量検出部と、
前記電池の劣化度合いを検出可能に構成され、少なくとも前記電池が所定劣化度合いとなったか否かを判定可能な劣化検出部と、
を備え、
前記表示制御部は、
前記劣化検出部により前記電池の前記所定劣化度合いが検出されていない場合は、前記充電量検出部によって検出される前記電池の充電量を示す内容で前記充電量情報を表示するように前記表示部を制御し、
前記劣化検出部により前記電池の前記所定劣化度合いが検出された場合は、少なくとも前記充電量検出部によって検出される前記電池の充電量が所定条件のときに、前記充電量検出部によって検出される前記電池の充電量よりも低い充電量を示す内容で前記充電量情報を表示するように前記表示部を制御し、
前記劣化検出部は、前記電池の劣化度合いとして少なくとも前記電池の膨らみ状態を検出する膨らみ状態検出部を有し、
前記膨らみ状態検出部は、
前記電池の所定の外壁面側に向けて光を照射する照射部と、
前記電池の前記外壁面側からの光を受光する受光部と、
前記受光部による光の受光結果に基づいて前記電池の劣化度合いを判定する判定部と、
を有することを特徴とする。
【発明の効果】
【０００８】
請求項１の発明では、劣化検出部により電池の所定劣化度合いが検出された場合に、少なくとも充電量検出部によって検出される電池の充電量が所定条件のときに、充電量検出部によって検出される電池の充電量よりも低い充電量を示す内容で充電量情報を表示するように表示部を制御する。この構成では、電池が所定劣化度合いに至るまで劣化した場合に、所定条件下で、実際の電池の充電量よりも低い充電量を示すように充電量情報が表示されることになる。従って、ある程度電池が劣化した場合にユーザは充電量が不足している感覚をより強く持つことになり、これにより、ユーザは、電池が劣化状態となった場合に、より早期に電池交換を行おうとする行動を起こしやすくなる。
さらに、劣化検出部は、電池の劣化度合いとして少なくとも電池の膨らみ状態を検出する膨らみ状態検出部を有する。
このようにすれば、電池の劣化状態を、実際に生じている電池の外形変化に基づいてより正確に把握しやすくなる。
特に、膨らみ状態検出部は、電池の所定の外壁面側に向けて光を照射する照射部と、電池の外壁面側からの光を受光する受光部と、受光部による光の受光結果に基づいて電池の劣化度合いを判定する判定部と、を有する。
この構成によれば、実際に生じている電池の膨らみを、より簡易な構成で検出し易くなる。
【０００９】
請求項２の発明では、表示制御部は、予め複数の充電量レベルが定められると共に、各充電量レベルに対応するレベル別充電量情報が定められており、劣化検出部により電池の所定劣化度合いが検出されていない場合、複数の充電量レベルのうちの充電量検出部によって検出される電池の充電量の属するレベルに対応するレベル別充電量情報を表示するように表示部の表示を制御する。そして、劣化検出部により電池の所定劣化度合いが検出された場合、複数の充電量レベルのうちの充電量検出部によって検出される電池の充電量の属するレベルよりも低いレベルに対応するレベル別充電量情報を表示するように表示部の表示を制御する。
この構成によれば、電池の劣化がある程度進んだ場合に、レベル別充電量情報を、通常時よりも低いレベルを示すように表示することができる。このようにすれば、電池の実際の充電量が複数の各充電量レベルのそれぞれの場合において、実際の充電量のレベルよりも低いレベルを把握することになり、ユーザは充電量が不足している感覚をより一層強く持つことになる。
【００１０】
請求項３の発明では、表示制御部は、劣化検出部により電池の所定劣化度合いが検出されていない場合において、充電量検出部によって検出される電池の充電量が所定の満充電状態の場合には、充電量情報として所定の満充電情報を表示するように表示部を制御し、劣化検出部により電池の所定劣化度合いが検出された場合において、充電量検出部によって検出される電池の充電量が満充電状態の場合には、満充電状態よりも低い充電状態を示す所定の低レベル情報を表示するように表示部を制御する。
この構成によれば、電池の劣化がある程度進んだ場合に、電池の実際の充電量が満充電状態であるときでも満充電状態よりも低いレベルで示すことができる。従って、ユーザに対し、満充電になりにくい感覚を強く与えることができ、ユーザは、劣化状態をより強く認識し、より早期に電池交換を行おうとする行動を起こしやすくなる。
【００１１】
請求項４の発明では、表示制御部は、劣化検出部により電池の所定劣化度合いが検出された場合において、充電量検出部によって検出される電池の充電量が満充電状態の場合には、充電量情報として満充電情報を表示せずに満充電状態よりも低い充電状態を示す所定の低レベル情報を表示するように表示部を制御する。
この構成によれば、電池の劣化がある程度進んだ場合に、電池の実際の充電量が満充電状態であるときでも満充電状態が表示されなくなる。従って、ユーザは、全然満充電にならない感覚をもつことになり、劣化状態をより一層強く認識し、より早期に電池交換を行おうとする行動を起こしやすくなる。
【００１２】
請求項５の発明では、劣化検出部は、電池の所定劣化度合いとして複数段階の劣化レベルが定められ、電池がいずれの段階の劣化レベルに属するかを判定可能とされており、表示制御部は、予め複数の充電量レベルが定められると共に、各充電量レベルに対応するレベル別充電量情報が定められており、劣化検出部により電池の所定劣化度合いが検出されていない場合において、充電量検出部によって検出される電池の充電量が満充電状態の場合には、複数のレベル別充電量のうち、満充電情報に対応するレベル別充電量情報を表示するように表示部を制御し、劣化検出部により電池の所定劣化度合いが検出された場合において、充電量検出部によって検出される電池の充電量が満充電状態の場合には、劣化検出部によって検出された劣化レベルに対応するレベル別充電量情報を低レベル情報として表示するように表示部を制御する。
この構成によれば、電池の劣化がある程度進んだ場合に、電池の実際の充電量が満充電状態であるときでも満充電状態よりも低いレベルで示すことができる。しかも、満充電情報に代えて表示されるレベルは、劣化レベルに対応する低レベル情報であるため、一律に低レベル情報を表示する構成と比べて、「劣化レベルに合わせた自由度の高い促し」が可能となる。
【００１３】
請求項６の発明では、劣化検出部は、電池の所定劣化度合いとして所定の劣化顕著状態を検出可能とされており、表示制御部は、劣化検出部により電池の所定劣化度合いが検出されていない場合において、充電量検出部によって検出される電池の充電量が所定の充電不足状態の場合に、充電量情報として所定の充電不足報知情報を表示するように表示部を制御し、劣化検出部により電池の劣化顕著状態が検出された場合において、充電量検出部によって検出される電池の充電量が満充電状態の場合、充電量情報として満充電情報を表示せずに充電不足報知情報を表示するように表示部を制御する。
この構成によれば、電池の劣化がある顕著になった場合、電池の実際の充電量が満充電状態であるときでも満充電状態が表示されなくなり、充電不足報知情報が表示されるようになる。従って、ユーザは、常に充電不足が報知されるような感覚をもつことになり、劣化状態を非常に強く認識し、より一層早期に電池交換を行おうとする行動を起こしやすくなる。
【００１４】
請求項７の発明では、劣化検出部は、電池の劣化度合いとして少なくとも電池の総使用時間又は総使用回数のいずれかを検出する。
このようにすれば、電池の劣化状態を、総使用時間又は総使用回数という定量的且つ劣化状態と関連性の高い情報に基づき、より正確に把握しやすくなる。
【００１７】
請求項８の発明では、照射部は、当該照射部からの光が、少なくとも電池の外壁面の外側において当該外壁面に沿った方向に通るように配置されている。
この構成によれば、電池の外壁面に膨らみが生じた場合に、膨らみが生じていない場合と比べて照射部からの光の状態（外壁面付近を通る光の状態）が大きく変化しやすくなり、受光部による受光結果が変化しやすくなる。従って、実際に生じている電池の膨らみを、受光部による受光結果に基づいてより正確に検出し易くなる。
【００１８】
請求項９の発明では、電池の外壁面には、所定構造の反射部材が配置され、反射部材の少なくとも一部には、電池の外面部における当該反射部材に隣接する周囲領域よりも反射率が高い高反射率領域が設けられている。
この構成によれば、電池の外壁面に膨らみが生じた場合に、膨らみが生じていない場合と比べて照射部からの光の状態（外壁面付近を通る光の状態）がより一層大きく変化しやすくなり、受光部による受光結果がより一層変化しやすくなる。従って、実際に生じている電池の膨らみを、受光部による受光結果に基づいてより正確に検出し易くなる。
【図面の簡単な説明】
【００１９】
【図１】図１は、第１実施形態に係る携帯端末を概略的に示す斜視図である。
【図２】図２は、図１の携帯端末を図１とは異なる方向から見た斜視図である。
【図３】図３は、図１の携帯端末における電池の取り外しの様子を示す斜視図である。
【図４】図４は、図１の携帯端末の電気的構成を例示するブロック図である。
【図５】図５（Ａ）は、図１の携帯端末における電池内の構成を概念的に示す説明図であり、図５（Ｂ）は、電池の端子構造を概念的に説明する説明図である。
【図６】図６は、図１の携帯端末における電池の劣化状態を検出するための回路構成を説明する説明図である。
【図７】図７は、図１の携帯端末で行われる表示制御処理の流れを例示するフローチャートである。
【図８】図８は、図１の携帯端末における所定劣化状態でない場合の充電量レベル毎の表示内容を説明する説明図である。
【図９】図９は、図１の携帯端末における第１劣化状態のときの充電量レベル毎の表示内容を説明する説明図である。
【図１０】図１０は、図１の携帯端末における第２劣化状態のときの充電量レベル毎の表示内容を説明する説明図である。
【図１１】図１１は、図１の携帯端末における第３劣化状態のときの充電量レベル毎の表示内容を説明する説明図である。
【図１２】図１２は、第２実施形態の携帯端末における劣化検出部の一部構成を概念的に説明する説明図である。
【図１３】図１３は、第２実施形態の携帯端末における照射部等の構成を示す図であり、図１３（Ａ）は、その側面図であり、図１３（Ｂ）は、その正面図であり、図１３（Ｃ）は、その平面図であり、図１３（Ｄ）は、その断面図である。
【図１４】図１４（Ａ）は、第２実施形態の携帯端末における電池が膨らんでない状態での検出状態を概念的に説明する説明図であり、図１４（Ｂ）は、電池が膨らんだ状態での検出状態を概念的に説明する説明図であり、
【図１５】図１５は、第２実施形態の携帯端末における受光部及びその関連部分の回路構成を概略的に例示する説明図である。
【図１６】図１６は、第２実施形態の携帯端末で行われる表示制御処理の流れを例示するフローチャートである。
【発明を実施するための形態】
【００２０】
[第１実施形態]
以下、第１実施形態について、図面を参照して説明する。
（携帯端末の基本構造）
図１〜図３で示す携帯型情報コード読取装置１（以下、情報コード読取装置１、又は読取装置１ともいう）は、携帯端末の一例に相当するものであり、長手状の外観をなし、その一端側のほぼ半分の領域が把持領域とされ、ユーザによって把持されつつ使用される構成をなしている。この情報コード読取装置１は、例えば、ユーザによって携帯されて様々な場所で用いられる携帯型の情報端末として構成されており、バーコードや二次元コードなどの情報コードＣを読み取る機能を有している。
【００２１】
図１〜図３等で示すように、情報コード読取装置１は、例えばＡＢＳ樹脂等の合成樹脂材料により形成される上側ケース体１０ａおよび下側ケース体１０ｂが組み付けられて構成される長手状のケース１０によって外郭が形成されている。そして、上側ケース体１０ａには、所定の情報を入力する際に操作されるファンクションキーおよびテンキー等の操作部４２や、所定の情報を表示するための表示部（液晶表示器４６）等が配置されている。なお、図１の例では、ケース１０の長手方向一方側の所定第１領域において、相対的に幅の大きい大幅部が構成され、ケース１０の長手方向他方側の所定第２領域において、大幅部よりも相対的に幅の狭い小幅部が構成されており、この小幅部がユーザによって把持される領域（把持部）として機能している。また、照明光や情報コードからの光の通過口となる読取口３は、上記大幅部においてケース１０の長手方向一方側の先端部寄り且つ裏面部側に設けられている。
【００２２】
図４に示すように、情報コード読取装置１は、主に、照明光源２１、受光センサ２３、フィルタ２５、結像レンズ２７等の光学系と、メモリ３５、制御回路４０、操作部４２、液晶表示器４６等のマイクロコンピュータ（以下「マイコン」という）系と、電源スイッチ４１、電池４９等の電源系と、から構成されている。なお、これらは、図略のプリント配線板に実装されたり、ケース１０内に内装されたりして配置されている。
【００２３】
光学系は、照明光源２１、受光センサ２３、フィルタ２５、結像レンズ２７等から構成されている。照明光源２１は、照明光Ｌｆを発光可能な照明光源として機能するもので、例えば、赤色のＬＥＤとこのＬＥＤの出射側に設けられる拡散レンズ、集光レンズ等とから構成されている。本構成では、受光センサ２３を挟んだ両側に照明光源２１が設けられており、ケース１０に形成された読取口３（図２、図３）を介して読取対象物Ｒに向けて照明光Ｌｆを照射可能に構成されている。この読取対象物Ｒとしては、例えば、樹脂材料、金属材料等の様々な対象が考えられ、このような読取対象物Ｒに情報コードＣが印刷、ダイレクトマーキングなどによって形成されている。情報コードＣは、ＱＲコード（登録商標）、データマトリックコード、マキシコード、その他の二次元コードなどであってもよく、一次元バーコードなどの一次元コードであってもよい。
【００２４】
受光センサ２３は、読取対象物Ｒや情報コードＣに照射されて反射した反射光Ｌｒを受光可能に構成されるもので、例えば、Ｃ−ＭＯＳやＣＣＤ等の固体撮像素子である受光素子を２次元に配列したエリアセンサが、これに相当する。この受光センサ２３は、結像レンズ２７を介して入射する入射光を受光面２３ａで受光可能に図略のプリント配線板に実装されている。
【００２５】
フィルタ２５は、反射光Ｌｒの波長相当以下の光の通過を許容し、当該波長相当を超える光の通過を遮断し得る光学的なローパスフィルタで、ケースに形成された読取口３と結像レンズ２７との間に設けられている。これにより、反射光Ｌｒの波長相当を超える不要な光が受光センサ２３に入射することを抑制している。また、結像レンズ２７は、例えば、鏡筒とこの鏡筒内に収容される複数の集光レンズとによって構成されており、本構成では、ケースに形成された読取口３に入射する反射光Ｌｒを集光し、受光センサ２３の受光面２３ａに情報コードＣのコード画像を結像するように構成されている。
【００２６】
マイコン系は、増幅回路３１、Ａ／Ｄ変換回路３３、メモリ３５、アドレス発生回路３６、同期信号発生回路３８、制御回路４０、操作部４２、充電量センサ４３、劣化センサ４４、液晶表示器４６、通信インタフェース４８等から構成されている。このマイコン系は、マイコン（情報処理装置）として機能し得る制御回路４０及びメモリ３５を中心として構成され、前述した光学系によって撮像された情報コードＣの画像信号をハードウェア的およびソフトウェア的に信号処理し得るものである。
【００２７】
光学系の受光センサ２３から出力される画像信号（アナログ信号）は増幅回路３１に入力され、この増幅回路３１によって所定ゲインで増幅された後、Ａ／Ｄ変換回路３３に入力され、アナログ信号からディジタル信号に変換される。そして、ディジタル化された画像信号、つまり画像データ（画像情報）は、メモリ３５に入力され、当該メモリ３５の画像データ蓄積領域に蓄積される。なお、同期信号発生回路３８は、受光センサ２３およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００２８】
メモリ３５は、例えば半導体メモリ装置などの公知の記憶媒体によって構成され、例えばＲＡＭ、ＲＯＭ、その他の不揮発性メモリなどがこれに相当する。このメモリ３５のうちのＲＡＭには、前述した画像データ蓄積領域のほかに、制御回路４０が算術演算や論理演算等の各処理時に利用する作業領域や読取条件テーブルも確保可能に構成されている。またＲＯＭには、後述する読取処理等を実行可能な所定プログラムやその他、照明光源２１、受光センサ２３等の各ハードウェアを制御可能なシステムプログラム等が予め格納されている。
【００２９】
制御回路４０は、情報コード読取装置１を全体的に制御可能なマイコンなどによって構成されており、ＣＰＵ、システムバス、入出力インタフェース等からなるものであり、情報処理機能を有している。この制御回路４０には、内蔵された入出力インタフェースを介して種々の入出力装置（周辺装置）が接続されており、図２の構成では、電源スイッチ４１、操作部４２、充電量センサ４３、劣化センサ４４、液晶表示器４６、通信インタフェース４８等が接続されている。
【００３０】
通信インタフェース４８は、例えば、情報コード読取装置１の外部に設けられた外部装置Ｈと公知の通信方式で通信を行うインタフェースとして機能する。この通信インタフェース４８は、例えば、公知の無線通信方式で無線通信を行う無線通信インタフェースを有しており、外部装置Ｈとの間でデータの送受信を行い得る構成となっている。
【００３１】
電源系は、電源スイッチ４１、電池４９等により構成されており、制御回路４０により管理される電源スイッチ４１のオンオフによって、上述した各装置や各回路に、電池４９から供給される駆動電圧の導通や遮断が制御されている。電池４９は、所定の直流電圧を発生可能な公知の二次電池によって構成されており、例えば、リチウムイオン電池等がこれに相当する。
【００３２】
（電池関連構成）
次に、読取装置１における電池４９の構成及びそれに関連する部分の構成について説明する。電池４９は、上述したケース１０の内部の所定空間に収容されるものである。図２、図３のように、ケース１０の一部には、開閉可能な電池蓋１０ｃが設けられており、図３のように電池蓋１０ｃが開放したときに電池４９をケース１０内に出し入れすることができるようになっている。この電池４９は、例えば図５（Ａ）のような構成となっており、起電力を発生させるバッテリセル部１０６に対し所定の電池基板１０７が接続されている。そして、この電池基板１０７には、図５（Ａ）（Ｂ）のように、電池４９の正電極１０１と、負電極１０３と、温度情報を検出するための温度検出用端子１０２とが設けられている。更に、データを送受信するためのデータ端子１０４と、クロックを伝達するためのクロック端子１０５とが設けられている。
【００３３】
電池基板１０７は、例えば図６のように構成されている。バッテリセル部１０６の正側の電極部と正電極１０１との間には、複数のトランジスタＴｒ１、Ｔｒ２が介在しており、トランジスタＴｒ１、Ｔｒ２の少なくともいずれか一方がオン状態となったときにバッテリセル部１０６の正側の電極部と正電極１０１とが導通するようになっている。また、バッテリセル部１０６の負側の電極部には負電極１０３が接続されている。この構成では、例えば、電池４９を動作させて電極１０１、１０３間で電位差（出力電圧）を発生させるときには、制御ＩＣ１１２によってトランジスタＴｒ１、Ｔｒ２の両方がオン状態に制御され、このときに正電極１０１と負電極１０３との間に所定の出力電圧（電池電圧）が発生するようになっている。
【００３４】
また、タイマＩＣ１１１は、トランジスタＴｒ１、Ｔｒ２がオン状態となる時間を計測するようになっており、トランジスタＴｒ１、Ｔｒ２がオン状態となる時間が計測される毎に、その計測時間がメモリ３５に記憶されるようになっている。そして、制御ＩＣ１１２は、メモリ３５に対してトランジスタＴｒ１、Ｔｒ２がオン状態となった累積時間を記憶するように機能しており、トランジスタＴｒ１、Ｔｒ２がオン状態となった期間ごとに、その期間の計測時間を累積時間に追加するようになっている。このような構成により、メモリ３５には、電池４９の総使用時間が記憶されるようになっている。なお、ここでは、電池４９の総使用時間を記憶する例を示したが、この方法に代えて、或いはこの方法に加えて、電池４９の総使用回数（トランジスタＴｒ１、Ｔｒ２がオン状態となった累積回数）を記憶する構成であってもよい。また、制御ＩＣ１１２は、データ端子１０４及びクロック端子１０５を用いて外部と通信を行うことができるようになっており、メモリ３５に記憶される電池４９の総使用時間（及び／又は総使用回数）は、制御回路４０が把握できるようになっている。なお、図６の構成では、電池基板１０７が劣化センサ４４として機能している。
【００３５】
（表示制御処理）
次に、図７を参照し、表示部（液晶表示器４６）での表示を制御するための処理（具体的には、充電量情報の表示を制御するための処理）について説明する。図７の処理は、少なくとも所定の開始条件の成立時（例えば、電源投入時や操作部４２に対する所定の開始操作時など）に初回の処理が実行されるようになっており、まず、電池４９の総使用時間の確認を行う。具体的には、制御回路４０と電池基板１０７との間で通信を行い、メモリ３５に記憶されている電池４９の総使用時間を制御回路４０が把握する。
【００３６】
Ｓ１０の処理の後には、Ｓ１０で把握した電池４９の総使用時間が所定の第３閾値Ｔ３を超えているか否かを判断する（Ｓ１１）。電池４９の総使用時間が第３閾値Ｔ３を超えている場合には、Ｓ１１にてＹｅｓに進み、バッテリ電圧閾値の設定を第３設定（Ｎｏ３．）に変更する（Ｓ１２）。一方、電池４９の総使用時間が第３閾値Ｔ３を超えていない場合には、Ｓ１１にてＮｏに進み、Ｓ１０で把握した電池４９の総使用時間が所定の第２閾値Ｔ２を超えているか否かを判断する（Ｓ１３）。電池４９の総使用時間が第２閾値Ｔ２を超えている場合には、Ｓ１３にてＹｅｓに進み、バッテリ電圧閾値の設定を第２設定（Ｎｏ２．）に変更する（Ｓ１４）。また、電池４９の総使用時間が第２閾値Ｔ２を超えていない場合には、Ｓ１３にてＮｏに進み、Ｓ１０で把握した電池４９の総使用時間が所定の第１閾値Ｔ１を超えているか否かを判断する（Ｓ１５）。そして、電池４９の総使用時間が第１閾値Ｔ１を超えている場合には、Ｓ１５にてＹｅｓに進み、バッテリ電圧閾値の設定を第１設定（Ｎｏ１．）に変更する（Ｓ１６）。なお、電池４９の総使用時間が第１閾値Ｔ１を超えていない場合には、Ｓ１５にてＮｏに進み、図７の処理を終了する。なお、図７の処理は、初回の処理が実行された後には、所定条件の成立毎又は所定の短時間毎に定期的に行われるようになっており、この処理が行われる毎に電池４９の総使用時間が把握され、バッテリ電圧閾値の設定が変更され得ることとなる。なお、この構成では、第１閾値Ｔ１が第２閾値Ｔ２よりも小さく、第２閾値Ｔ２が第３閾値Ｔ３よりも小さくなっている。即ち、Ｔ１＜Ｔ２＜Ｔ３となっている。
【００３７】
そして、充電量を表示するための設定が通常設定の場合には、図８のように、充電量のレベルに応じたアイコンＤ１〜Ｄ４をそれぞれ表示するようになっている。なお、アイコンＤ１〜Ｄ４の各図形は、充電量情報の一例に相当する。具体的には、電池４９の総使用時間が第１閾値Ｔ１を超えていない通常状態（「所定劣化度合い」ではない状態）では、図８のような通常設定がなされ、この通常設定では、電池４９の出力電圧が第１電圧閾値Ｖ１（例えば、４．１Ｖ）以上である「満充電状態」の場合に、満充電状態を示すアイコンＤ１を液晶表示器４６に表示する。なお、このアイコンＤ１は、「所定の満充電情報」の一例に相当する。また、通常設定では、電池４９の出力電圧が第１電圧閾値Ｖ１未満且つ第２電圧閾値Ｖ２（例えば、３．９Ｖ）以上である「第１低レベル状態」の場合には、この第１低レベル状態を示すアイコンＤ２を液晶表示器４６に表示する。更に、通常設定では、電池４９の出力電圧が第２電圧閾値Ｖ２未満且つ第３電圧閾値Ｖ３（例えば、３．８Ｖ）以上である「第２低レベル状態」の場合には、この第２低レベル状態を示すアイコンＤ３を液晶表示器４６に表示する。更に、通常設定では、電池４９の出力電圧が第３電圧閾値Ｖ３未満である「第３低レベル状態」の場合には、この第３低レベル状態を示すアイコンＤ４を液晶表示器４６に表示する。なお、この例ではＶ１＞Ｖ２＞Ｖ３となっている。
【００３８】
また、Ｓ１６の処理により、上述した通常設定から第１設定（Ｎｏ１．）に変更された場合には、図９のようにアイコンの表示をシフトさせる。この第１設定では、電池４９の出力電圧が第１電圧閾値Ｖ１（例えば、４．１Ｖ）以上である「満充電状態」の場合に、満充電状態を示すアイコンＤ１を液晶表示器４６に表示せず、第１低レベル状態を示すアイコンＤ２を液晶表示器４６に表示する。また、第１設定では、電池４９の出力電圧が第１電圧閾値Ｖ１未満且つ第２電圧閾値Ｖ２（例えば、３．９Ｖ）以上である「第１低レベル状態」の場合には、所定劣化状態でない通常状態のときに第１低レベル状態を示すアイコンＤ２を液晶表示器４６に表示せず、第２低レベル状態を示すアイコンＤ３を液晶表示器４６に表示する。更に、第１設定では、電池４９の出力電圧が第２電圧閾値Ｖ２未満且つ第３電圧閾値Ｖ３（例えば、３．８Ｖ）以上である「第２低レベル状態」の場合には、所定劣化状態でない通常状態のときに第２低レベル状態を示すアイコンＤ２を液晶表示器４６に表示せず、第３低レベル状態を示すアイコンＤ４を液晶表示器４６に表示する。なお、第１設定では、電池４９の出力電圧がＶ３未満である「第３低レベル状態」の場合にも、この第３低レベル状態を示すアイコンＤ４を液晶表示器４６に表示する。
【００３９】
また、Ｓ１４の処理により、上述した通常設定から第２設定（Ｎｏ２．）に変更された場合には、図１０のようにアイコンの表示をシフトさせる。この第２設定では、電池４９の出力電圧がＶ１（例えば、４．１Ｖ）以上である「満充電状態」の場合に、所定劣化状態でない通常状態のときに満充電状態を示すアイコンＤ１を液晶表示器４６に表示せず、第２低レベル状態を示すアイコンＤ３を液晶表示器４６に表示する。また、第２設定では、電池４９の出力電圧がＶ１未満且つＶ２（例えば、３．９Ｖ）以上である「第１低レベル状態」の場合には、所定劣化状態でない通常状態のときに第１低レベル状態を示すアイコンＤ２を液晶表示器４６に表示せず、第３低レベル状態を示すアイコンＤ４を液晶表示器４６に表示する。なお、第２設定では、電池４９の出力電圧がＶ２未満且つＶ３（例えば、３．８Ｖ）以上である「第２低レベル状態」の場合には、通常状態のときに第２低レベル状態を示すアイコンＤ２を液晶表示器４６に表示せず、第３低レベル状態を示すアイコンＤ４を液晶表示器４６に表示する。また、第２設定では、電池４９の出力電圧がＶ３未満である「第３低レベル状態」の場合にも、この第３低レベル状態を示すアイコンＤ４を液晶表示器４６に表示する。
【００４０】
また、Ｓ１２の処理により、上述した通常設定から第３設定（Ｎｏ３．）に変更された場合には、図１１のようにアイコンの表示をシフトさせる。この第３設定では、電池４９の出力電圧がＶ１（例えば、４．１Ｖ）以上である「満充電状態」の場合、所定劣化状態でない通常状態のときに満充電状態を示すアイコンＤ１を液晶表示器４６に表示せず、第３低レベル状態を示すアイコンＤ４を液晶表示器４６に表示する。また、第３設定では、電池４９の出力電圧がＶ１未満且つＶ２（例えば、３．９Ｖ）以上である「第１低レベル状態」の場合には、第１低レベル状態を示すアイコンＤ２を液晶表示器４６に表示せず、第３低レベル状態を示すアイコンＤ４を液晶表示器４６に表示する。また、第３設定では、電池４９の出力電圧がＶ２未満且つＶ３（例えば、３．８Ｖ）以上である「第２低レベル状態」の場合には、第２低レベル状態を示すアイコンＤ２を液晶表示器４６に表示せず、第３低レベル状態を示すアイコンＤ４を液晶表示器４６に表示する。また、第３設定では、電池４９の出力電圧がＶ３未満である「第３低レベル状態」の場合にも、この第３低レベル状態を示すアイコンＤ４を液晶表示器４６に表示する。このように、第３設定では、電池４９がどのような状態であっても、最も低い充電量レベルの状態を示すアイコンＤ４を液晶表示器４６に表示するようになっている。
【００４１】
（本構成の主な効果）
本構成では、劣化検出部により電池４９の所定劣化度合いが検出された場合に、少なくとも充電量センサ４３（充電量検出部）によって検出される電池４９の充電量が所定条件のときに、充電量センサ４３（充電量検出部）によって検出される電池４９の充電量よりも低い充電量を示す内容で充電量情報を表示するように表示部（液晶表示器４６）を制御する。この構成では、電池４９が所定劣化度合いに至るまで劣化した場合に、所定条件下で、実際の電池４９の充電量よりも低い充電量を示すように充電量情報が表示されることになる。従って、ある程度電池４９が劣化した場合にユーザは充電量が不足している感覚をより強く持つことになり、これにより、ユーザは、電池４９が劣化状態となった場合に、より早期に電池交換を行おうとする行動を起こしやすくなる。
【００４２】
また、表示制御部は、予め複数の充電量レベル（出力電圧がＶ１以上、Ｖ１未満Ｖ２以上、Ｖ２未満Ｖ３以上、Ｖ３未満となる各レベル）が定められると共に、各充電量レベルに対応するレベル別充電量情報（通常状態での各充電量レベルを示す各アイコンＤ１，Ｄ２，Ｄ３，Ｄ４）が定められており、劣化検出部により電池４９の所定劣化度合いが検出されていない場合、複数の充電量レベルのうちの充電量センサ４３（充電量検出部）によって検出される電池４９の充電量の属するレベルに対応するレベル別充電量情報を表示するように表示部（液晶表示器４６）の表示を制御する（図８参照）。そして、劣化検出部により電池４９の所定劣化度合いが検出された場合、複数の充電量レベルのうちの充電量センサ４３（充電量検出部）によって検出される電池４９の充電量の属するレベルよりも低いレベルに対応するレベル別充電量情報を表示するように表示部（液晶表示器４６）の表示を制御する（図９〜図１１参照）。
この構成によれば、電池４９の劣化がある程度進んだ場合に、レベル別充電量情報（アイコンＤ１〜Ｄ４）を、通常時よりも低いレベルを示すように表示することができる。このようにすれば、電池４９の実際の充電量が複数の各充電量レベルのそれぞれの場合において、実際の充電量のレベルよりも低いレベルを把握することになり、ユーザは充電量が不足している感覚をより一層強く持つことになる。
【００４３】
また、表示制御部は、劣化検出部により電池４９の所定劣化度合いが検出されていない場合において、充電量センサ４３（充電量検出部）によって検出される電池４９の充電量が所定の満充電状態の場合（即ち、電池電圧がＶ１以上の場合）には、充電量情報として所定の満充電情報（アイコンＤ１）を表示するように表示部（液晶表示器４６）を制御し、劣化検出部により電池４９の所定劣化度合いが検出された場合において、充電量センサ４３（充電量検出部）によって検出される電池４９の充電量が満充電状態の場合には、満充電状態よりも低い充電状態を示す所定の低レベル情報（例えば、図９〜図１１のようなアイコンＤ２、Ｄ３、Ｄ４の情報）を表示するように表示部（液晶表示器４６）を制御する。
この構成によれば、電池４９の劣化がある程度進んだ場合に、電池４９の実際の充電量が満充電状態であるときでも満充電状態よりも低いレベルで示すことができる。従って、ユーザに対し、満充電になりにくい感覚を強く与えることができ、ユーザは、劣化状態をより強く認識し、より早期に電池交換を行おうとする行動を起こしやすくなる。
【００４４】
より具体的には、表示制御部は、劣化検出部により電池４９の所定劣化度合いが検出された場合において、充電量センサ４３（充電量検出部）によって検出される電池４９の充電量が満充電状態の場合（即ち、電池電圧がＶ１以上の場合）には、充電量情報として満充電情報（アイコンＤ１）を表示せずに満充電状態よりも低い充電状態を示す所定の低レベル情報（アイコンＤ２〜Ｄ４のいずれか）を表示するように表示部（液晶表示器４６）を制御する。
この構成によれば、電池４９の劣化がある程度進んだ場合に、電池４９の実際の充電量が満充電状態であるときでも満充電状態が表示されなくなる。従って、ユーザは、全然満充電にならない感覚をもつことになり、劣化状態をより一層強く認識し、より早期に電池交換を行おうとする行動を起こしやすくなる。
【００４５】
また、劣化検出部は、電池４９の所定劣化度合いとして複数段階の劣化レベル（具体的には、電池の総使用時間がＴ１を超えＴ２以下のレベル、Ｔ２を超えＴ３以下のレベル、Ｔ３を超えるレベル）が定められ、電池４９がいずれの段階の劣化レベルに属するかを判定可能とされており、表示制御部は、予め複数の充電量レベル（出力電圧がＶ１以上、Ｖ１未満Ｖ２以上、Ｖ２未満Ｖ３以上、Ｖ３未満となる各レベル）が定められると共に、各充電量レベルに対応するレベル別充電量情報（アイコンＤ１〜Ｄ４）が定められており、劣化検出部により電池４９の所定劣化度合いが検出されていない場合において、充電量センサ４３（充電量検出部）によって検出される電池４９の充電量が満充電状態の場合（電池電圧がＶ１以上の場合）には、複数のレベル別充電量のうち、満充電情報に対応するレベル別充電量情報（アイコンＤ１）を表示するように表示部（液晶表示器４６）を制御し、劣化検出部により電池４９の所定劣化度合いが検出された場合（電池の総使用時間がＴ１を超えた場合）において、充電量センサ４３（充電量検出部）によって検出される電池４９の充電量が満充電状態の場合（電池電圧がＶ１以上の場合）には、劣化検出部によって検出された劣化レベルに対応するレベル別充電量情報を低レベル情報として表示するように表示部（液晶表示器４６）を制御する。例えば、電池の総使用時間がＴ１を超えＴ２以下のレベルであれば、図９のように表示を制御し、Ｔ２を超えＴ３以下のレベルであれば図１０のように表示を制御し、Ｔ３を超えるレベルであれば図１１のように表示を制御する。
この構成によれば、電池４９の劣化がある程度進んだ場合に、電池４９の実際の充電量が満充電状態であるときでも満充電状態よりも低いレベルで示すことができる。しかも、満充電情報に代えて表示されるレベルは、劣化レベルに対応する低レベル情報であるため、一律に低レベル情報を表示する構成と比べて、「劣化レベルに合わせた自由度の高い促し」が可能となる。
【００４６】
また、劣化検出部は、電池４９の所定劣化度合いとして所定の劣化顕著状態（電池４９の総使用時間がＴ３を超える状態）を検出可能とされており、表示制御部は、劣化検出部により電池４９の所定劣化度合いが検出されていない場合において、充電量センサ４３（充電量検出部）によって検出される電池４９の充電量が所定の充電不足状態の場合（電池電圧がＶ３未満の場合）に、充電量情報として所定の充電不足報知情報（アイコンＤ４）を表示するように表示部（液晶表示器４６）を制御している。一方、劣化検出部により電池４９の劣化顕著状態（電池４９の総使用時間がＴ３を超える状態）が検出された場合において、充電量センサ４３（充電量検出部）によって検出される電池４９の充電量が満充電状態の場合、図１１のように充電量情報として満充電情報（アイコンＤ１）を表示せずに充電不足報知情報（アイコンＤ４）を表示するように表示部（液晶表示器４６）を制御する。
この構成によれば、電池４９の劣化がある顕著になった場合、電池４９の実際の充電量が満充電状態であるときでも満充電状態が表示されなくなり、充電不足報知情報が表示されるようになる。従って、ユーザは、常に充電不足が報知されるような感覚をもつことになり、劣化状態を非常に強く認識し、より一層早期に電池交換を行おうとする行動を起こしやすくなる。
【００４７】
また、劣化検出部は、電池４９の劣化度合いとして少なくとも電池４９の総使用時間又は総使用回数のいずれかを検出する。このようにすれば、電池４９の劣化状態を、総使用時間又は総使用回数という定量的且つ劣化状態と関連性の高い情報に基づき、より正確に把握しやすくなる。なお、図７の例では、電池４９の総使用時間を劣化判断に用いる例を挙げて説明したが、電池の総使用回数によって劣化を判断する場合、Ｓ１１、Ｓ１３、Ｓ１５の処理を、総使用回数を用いた判断処理とすればよい。例えば、電池４９の総使用回数が閾値回数Ｔ３を超えている場合にＳ１１にてＹｅｓに進むようにし、電池４９の総使用回数が閾値回数Ｔ３以下であって閾値回数Ｔ２を超えている場合にＳ１３にてＹｅｓに進むようにし、電池４９の総使用回数が閾値回数Ｔ２以下であって閾値回数Ｔ１を超えている場合にＳ１５にてＹｅｓに進むようにすればよい。
【００４８】
[第２実施形態]
次に、第２実施形態について、図面を参照して説明する。
なお、第２実施形態の読取装置１は、ハードウェア構成については第１実施形態と同様である。例えば、上述した（携帯端末の基本構造）については第１実施形態と同一であり、図１〜図６の構成も第１実施形態と同様である。従って、適宜図１〜図６を参照して説明する。
【００４９】
本構成では、劣化センサ４４の構成が第１実施形態と異なり、例えば図１２〜図１５で示す構成となっている。図１２〜図１４等で示す劣化センサ４４及び制御回路４０（図４等）は、劣化検出部及び膨らみ状態検出部の一例に相当し、電池４９の劣化度合いとして少なくとも電池４９の膨らみ状態を検出する機能を有している。膨らみ状態検出部の一部をなす劣化センサ４４は、図１２、図１３、図１４のように、電池４９の所定の外壁面４９ａ（例えば、電池蓋１０ｃと対向する外壁面）側に向けて光を照射する照射部２０１と、電池４９の外壁面４９ａ側からの光を受光する受光部２０２とを有している。更に、図１５のように、受光部２０２による光の受光結果に基づいて電池４９の劣化度合いを判定する判定部２１０を有している。
【００５０】
この構成では、劣化センサ４４が例えば図１３のように構成されており、図１２、図１４のように、照射部２０１は、当該照射部２０１からの光が、少なくとも電池４９の外壁面４９ａの外側において当該外壁面４９ａに沿った方向に通るように配置されている。従って、図１４（Ａ）のような通常状態から図１４（Ｂ）のように変化し、電池４９の外壁面４９ａに膨らみが生じた場合に、膨らみが生じていない図１４（Ａ）の場合と比べて照射部２０１からの光の状態（外壁面４９ａ付近を通る光の状態）が大きく変化するようになっている。また、電池４９の外壁面４９ａには、所定構造の反射部材２１１が配置され、反射部材２１１の少なくとも一部には、電池４９の外面部における当該反射部材２１１に隣接する周囲領域よりも反射率が高い高反射率領域が設けられている。そして、照射部２０１からの光は、この反射部材２１１の表面部の高反射率領域付近を通るようになっている。この反射部材２１１は、例えば公知の再帰反射材として構成されている。再帰反射材の構成としては様々な公知構造を用いることができ、プリズム反射型の反射シート構造、封入型の反射シート構造、カプセルレンズ型の反射シート構造などを好適に用いることができる。
【００５１】
ここで、図１６を参照し、本構成における表示部（液晶表示器４６）での表示を制御するための処理（具体的には、充電量情報（アイコンＤ１〜Ｄ４）の表示を制御するための処理）について説明する。図１６の処理は、少なくとも所定の開始条件の成立時（例えば、電源投入時や操作部４２に対する所定の開始操作時など）に初回の処理が実行されるようになっており、初回の処理が終了した後には、所定の短時間毎或いは所定条件の成立毎に処理が行われるようになっている。この処理では、まず、判定部２１０からの出力値を確認する（Ｓ１）。そして、判定部２１０からの出力値（具体的には、コンパレータＣｐからの出力値）がＨレベルであるか否かを判断する。
【００５２】
判定部２１０は、例えば、図１５のように構成されており、所定位置の電圧Ｖａと基準電圧ＶｂとをコンパレータＣｐによって比較する構造となっている。この構成では、受光部２０２での受光量が低い場合にはＶｂがＶａを上回るため、コンパレータＣｐからはＨレベルが出力される。一方、受光部２０２での受光量が高い場合にはＶａがＶｂを上回るため、コンパレータＣｐからはＬレベルが出力される。具体的には、図１４（Ａ）のように、電池４９の膨らみが少ない通常状態では、受光部２０２での受光量が低くなり、ＶｂがＶａを上回るようになっており、図１４（Ｂ）のように、電池４９が膨らんで照射部２０１からの光の多くが反射部材２１１で反射する状態となると、受光部２０２での受光量が大きくなり、ＶａがＶｂを上回るようになっている。図１６のＳ２では、このように構成された判定部２１０からの出力値を確認し、ＨレベルであればＹｅｓに進み、ＬレベルであればＮｏに進む。
【００５３】
Ｓ２でＹｅｓに進む場合（即ち、電池４９での膨らみが少なく、劣化度合いが低い場合）には、第１実施形態と同様の通常設定を維持する。具体的には、図８のように、電池４９の出力電圧がＶ１（例えば、４．１Ｖ）以上である「満充電状態」の場合に、満充電状態を示すアイコンＤ１を液晶表示器４６に表示する。なお、このアイコンＤ１は、「所定の満充電情報」の一例に相当する。また、通常設定では、電池４９の出力電圧がＶ１未満且つＶ２（例えば、３．９Ｖ）以上である「第１低レベル状態」の場合には、この第１低レベル状態を示すアイコンＤ２を液晶表示器４６に表示する。更に、通常設定では、電池４９の出力電圧がＶ２未満且つＶ３（例えば、３．８Ｖ）以上である「第２低レベル状態」の場合には、この第２低レベル状態を示すアイコンＤ３を液晶表示器４６に表示する。更に、通常設定では、電池４９の出力電圧がＶ３未満である「第３低レベル状態」の場合には、この第３低レベル状態を示すアイコンＤ４を液晶表示器４６に表示する。
【００５４】
一方、Ｓ２でＮｏに進む場合（即ち、電池４９での膨らみが大きく、劣化度合いが大きい場合）には、例えば第１実施形態と同様の第１設定とする（Ｓ３）。このように通常設定から第１設定（Ｎｏ１．）に変更された場合には、図９のようにアイコンの表示をシフトさせる。この第１設定では、電池４９の出力電圧がＶ１（例えば、４．１Ｖ）以上である「満充電状態」の場合に、満充電状態を示すアイコンＤ１を液晶表示器４６に表示せず、第１低レベル状態を示すアイコンＤ２を液晶表示器４６に表示する。また、第１設定では、電池４９の出力電圧がＶ１未満且つＶ２（例えば、３．９Ｖ）以上である「第１低レベル状態」の場合には、第１低レベル状態を示すアイコンＤ２を液晶表示器４６に表示せず、第２低レベル状態を示すアイコンＤ３を液晶表示器４６に表示する。更に、第１設定では、電池４９の出力電圧がＶ２未満且つＶ３（例えば、３．８Ｖ）以上である「第２低レベル状態」の場合には、第２低レベル状態を示すアイコンＤ３を液晶表示器４６に表示せず、第３低レベル状態を示すアイコンＤ４を液晶表示器４６に表示する。なお、第１設定では、電池４９の出力電圧がＶ３未満である「第３低レベル状態」の場合にも、この第３低レベル状態を示すアイコンＤ４を液晶表示器４６に表示する。
【００５５】
なお、上述した例では、Ｓ３において第１設定に変更する例を示したが、Ｓ３において第１実施形態で説明した第２設定に変更するようにしてもよく、Ｓ３において第１実施形態で説明した第３設定に変更するようにしてもよく、
【００５６】
（本構成の主な効果）
以上のように、本構成では、劣化検出部は、電池４９の劣化度合いとして少なくとも電池４９の膨らみ状態を検出する膨らみ状態検出部を有する。このようにすれば、電池４９の劣化状態を、実際に生じている電池４９の外形変化に基づいてより正確に把握しやすくなる。
【００５７】
また、膨らみ状態検出部は、電池４９の所定の外壁面側に向けて光を照射する照射部２０１と、電池４９の外壁面側からの光を受光する受光部２０２と、受光部２０２による光の受光結果に基づいて電池４９の劣化度合いを判定する判定部と、を有する。この構成によれば、実際に生じている電池４９の膨らみを、より簡易な構成で検出し易くなる。
【００５８】
また、照射部２０１は、当該照射部２０１からの光が、少なくとも電池４９の外壁面の外側において当該外壁面に沿った方向に通るように配置されている。この構成によれば、電池４９の外壁面に膨らみが生じた場合に、膨らみが生じていない場合と比べて照射部２０１からの光の状態（外壁面付近を通る光の状態）が大きく変化しやすくなり、受光部２０２による受光結果が変化しやすくなる。従って、実際に生じている電池４９の膨らみを、受光部２０２による受光結果に基づいてより正確に検出し易くなる。
【００５９】
また、電池４９の外壁面には、所定構造の反射部材２１１が配置され、反射部材２１１の少なくとも一部には、電池４９の外面部における当該反射部材２１１に隣接する周囲領域よりも反射率が高い高反射率領域が設けられている。この構成によれば、電池４９の外壁面に膨らみが生じた場合に、膨らみが生じていない場合と比べて照射部２０１からの光の状態（外壁面付近を通る光の状態）がより一層大きく変化しやすくなり、受光部２０２による受光結果がより一層変化しやすくなる。従って、実際に生じている電池４９の膨らみを、受光部２０２による受光結果に基づいてより正確に検出し易くなる。
【符号の説明】
【００６０】
１…携帯型情報コード読取装置（携帯端末）
４０…制御回路（表示制御部、劣化検出部、膨らみ状態検出部）
４３…充電量センサ（充電量検出部）
４４…劣化センサ（劣化検出部）
４６…液晶表示器（表示部）
４９…電池
２０１…照射部（膨らみ状態検出部）
２０２…受光部（膨らみ状態検出部）
２１０…判定部（膨らみ状態検出部）
２１１…反射部材
【図１】
0006361411.tif 000002
【図２】
0006361411.tif 000003
【図３】
0006361411.tif 000004
【図４】
0006361411.tif 000005
【図５】
0006361411.tif 000006
【図６】
0006361411.tif 000007
【図７】
0006361411.tif 000008
【図８】
0006361411.tif 000009
【図９】
0006361411.tif 000010
【図１０】
0006361411.tif 000011
【図１１】
0006361411.tif 000012
【図１２】
0006361411.tif 000013
【図１３】
0006361411.tif 000014
【図１４】
0006361411.tif 000015
【図１５】
0006361411.tif 000016
【図１６】
0006361411.tif 000017